(57)【特許請求の範囲】
【請求項１】
文字領域と拡張機能領域とを備える第１および第２の座標入力部と、
前記第1および第２の座標入力部に対する座標入力による座標データをそれぞれ取得する座標データ取得手段と、
前記座標データ取得手段によって取得された座標データを入力データに変換する変換手段とを備え、
前記変換手段は、
前記第1の座標入力部の文字領域に対し座標入力があったとき、前記第２の座標入力部の前記拡張機能領域に対する座標入力の有無に応じて、前記第1の座標入力部における座標データを異なる入力データに変換し、
前記第２の座標入力部の文字領域に対し座標入力があったとき、前記第1の座標入力部の前記拡張機能領域に対する座標入力の有無に応じて、前記第２の座標入力部における座標データを異なる入力データに変換する
ことを特徴とする座標入力装置。
【請求項２】
文字領域と拡張機能領域とを備える第１および第２の座標入力部と、
前記第1および第２の座標入力部に対する座標入力による座標データをそれぞれ取得する座標データ取得手段と、
前記座標データ取得手段によって取得された座標データを入力データに変換する変換手段とを有して座標入力を行う座標入力方法において、
前記第1の座標入力部の文字領域に対し座標入力があったとき、前記第２の座標入力部の前記拡張機能領域に対する座標入力の有無に応じて、前記第1の座標入力部における座標データを異なる入力データに変換し、
前記第２の座標入力部の文字領域に対し座標入力があったとき、前記第1の座標入力部の前記拡張機能領域に対する座標入力の有無に応じて、前記第２の座標入力部における座標データを異なる入力データに変換するようにした
座標入力方法。
【発明の詳細な説明】
【０００１】
【発明の属する技術分野】
本発明は、例えば、携帯型情報端末機に適用して好適な座標入力装置及び座標入力方法に関する。
【０００２】
【従来の技術】
以下に、図７を参照して、従来の携帯型情報端末機について説明する。１はＣＰＵで、このＣＰＵ１に、バスＢＳを介して、プログラムが記憶されているＲＯＭ２、ＲＡＭ３、液晶表示装置４、その液晶表示装置４の上面に取付けられた座標入力部としてのタブレット５（５Ａ、５Ｂ）、着脱自在のＩＣカード（アプリケーションプログラムが記憶されている）７及び拡張機能キー８Ａ、８Ｂがそれぞれ接続されている。これらの各機器２〜５、７は、ＣＰＵ１によって制御される。尚、液晶表示装置４、タブレット５Ａ、５Ｂ、拡張機能キー８Ａ、８Ｂと、バスＢＳとの間には、それぞれインターフェース４Ｉ、５ＩＡ、５ＩＢ、８ＩＡ、８ＩＢが接続されている。６は、タブレット５に対し座標入力を行うためのペンである。
【０００３】
次に、図６を参照して、図７の携帯型情報端末機における座標入力装置について説明する。タブレット５Ａ、５Ｂの下端部に、拡張機能キー８Ａ、８Ｂが設けられている。タブレット５Ａ、５Ｂの下面の液晶表示装置に、例えば、アルファベットが表示されている場合を考える。この場合、タブレット５Ａ、５Ｂの文字領域５ＭＡ、５ＭＢをペン６で押せば、その座標データが取得されて、その座標データの如何に応じて、その押した部分の大文字のアルファベットが入力される。又、拡張機能キー（シフトキー）８Ｂ、又は、８Ａを指で押しながら、タブレット５Ａ、又は、５Ｂをペン６で押すと、その座標データが取得されて、その座標データの如何に応じて、その押した部分の小文字のアルファベットが入力される。
【０００４】
【発明が解決しようとする課題】
このように、従来の座標入力装置では、拡張機能キー８Ａ、８Ｂを設けたために、液晶表示装置４及びタブレット５Ａ、５Ｂの面積が狭くなるとと共に、拡張機能キー８Ａ、８Ｂに対するインターフェース８ＩＡ、８ＩＢが必要となるため、座標入力装置を小型、軽量、低価格にすることができない。
【０００５】
かかる点に鑑み、本発明は、複数の座標入力部を有する座標入力装置において、座標入力部の面積が狭くならず、小型、軽量、低価格にして、拡張機能を実現することのできる座標入力装置を提案しようとするものである。
【０００６】
【課題を解決するための手段】
本発明は、文字領域と拡張機能領域とを備える第１および第２の座標入力部と、第1および第２の座標入力部に対する座標入力による座標データをそれぞれ取得する座標データ取得手段と、座標データ取得手段によって取得された座標データを入力データに変換する変換手段とを備え、変換手段は、第1の座標入力部の文字領域に対し座標入力があったとき、第２の座標入力部の拡張機能領域に対する座標入力の有無に応じて、第1の座標入力部における座標データを異なる入力データに変換し、第２の座標入力部の文字領域に対し座標入力があったとき、第1の座標入力部の拡張機能領域に対する座標入力の有無に応じて、第２の座標入力部における座標データを異なる入力データに変換することを特徴とする座標入力装置である。
【０００７】
かかる本発明によれば、第１および第２の座標入力部にそれぞれ文字領域と拡張機能領域とを設け、第１および第２の座標入力部のうちの一方の座標入力部の文字領域に対し座標入力があったとき、変換手段によって、他方の座標入力部の拡張機能領域に対する座標入力の有無に応じて、この一方の座標入力部に対する座標入力を異なる入力データに変換する。
【０００８】
【発明の実施の形態】
以下に、図面を参照して、本発明の実施の形態を詳細に説明する。先ず、図５を参照して、本発明による画像入力装置を適用した２つ折り形の携帯型端末装置を説明する。尚、図５において、図７と対応する部分には、同一符号を付してある。１はＣＰＵで、このＣＰＵ１に、バスＢＳを介して、プログラムが記憶されているＲＯＭ２、ＲＡＭ３、液晶表示装置４、その液晶表示装置４の上面に取付けられた座標入力部としてのタブレット５（５Ａ、５Ｂ）及び着脱自在のＩＣカード（アプリケーションプログラムが記憶されている）７がそれぞれ接続されている。これらの各機器２〜５、７は、ＣＰＵ１によって制御される。尚、液晶表示装置４、タブレット５Ａ、５Ｂとの間には、それぞれインターフェース４Ｉ、５ＩＡ、５ＩＢが接続されている。６は、タブレット５に対し座標入力を行うためのペンである。この場合には、図７における拡張機能キー８Ａ、８Ｂ及びインターフェース８ＩＡ、８ＩＢが不要となる。
【０００９】
次に、図３を参照して、実施の形態の座標入力装置を説明する。この例のタブレット５は、横方向に配列された２枚の透明の感圧式のタブレット５Ａ、５Ｂからなり、それぞれ２枚の液晶表示装置の上面に取付けられている。タブレット５Ａ、５Ｂの一部、例えば、それぞれ左上隅及び右上隅に、拡張機能領域（シフト領域）５ＲＡ、５ＲＢを設ける。この拡張機能領域５ＲＡ、５ＲＢは、タブレット５Ａ、５Ｂの下面の液晶表示装置に、その拡張機能領域５ＲＡ、５ＲＢを示す、例えば、矩形が表示され、図示を省略するも、その矩形の中に、例えば、「拡張」の文字をも表示させる。又、この拡張機能領域５ＲＡ、５ＲＢは、必要に応じて、無効にすることもでき、それに応じてタブレット５Ａ、５Ｂの下面の液晶表示装置４における表示を切換えることができる。
【００１０】
タブレット５Ａ、５Ｂの下面の液晶表示装置に、例えば、アファベットが表示されている場合を考える。この場合、タブレット５Ａ、５Ｂの文字領域５ＭＡ、５ＭＢをペン６で押せば、その座標データが取得されて、その座標データの如何に応じて、その押した部分の大文字のアルファベットが入力される。又、拡張機能領域５ＲＡ（又は、５ＲＢ）を指で押しながら、反対側のタブレット５Ｂ（又は、５Ａ）をペンで押すと、その座標データが取得されて、その座標データの如何に応じて、その押した部分の小文字のアルファベットが入力される。
【００１１】
次に、図４を参照して、２枚のタブレット５Ａ、５Ｂにて、１枚の大きなタブレット５として使用する場合について説明する。ここで、タブレット５Ａ、５Ｂをそれぞれ個別タブレットと呼び、タブレット５を統合タブレットと呼ぶことにする。統合タブレット５としての使用の場合、不連続部を介したペン６によるタブレット５Ａ、５Ｂ間のドラッグが可能である。
【００１２】
個別タブレット５Ａ、５Ｂには、それぞれ左上隅の原点Ｏａ、Ｏｂ並びにＸ軸Ｘａ、Ｘｂ及びＹ軸Ｙａ、Ｙｂを有する個別ＸＹ直交座標系が設けられている。統合タブレット５には、個別タブレット５Ａの原点Ｏａと共通の原点Ｏ並びに個別タブレット５Ａ、５ＢのＸ軸Ｘａ、Ｘｂ及びＹ軸Ｙａ、Ｙｂと重なる軸Ｘ、Ｙを有する統合ＸＹ直交座標系が設けられている。尚、個別タブレット５Ａ、５Ｂの原点Ｏａ、Ｏｂ間の距離（オフセット）をＬとする。尚、個別タブレット５Ａ、５Ｂ間の不連続部の長さ、即ち、連結部の幅及びタブレット５Ａ、５Ｂの各輪郭部の幅の和は、無視するか、又は、距離Ｌから差し引いたものを、改めてオフセットＬとしても良い。
【００１３】
個別タブレット５Ａ上の任意の点Ｐをペン６で押圧したときの個別座標データをＸａ＝Ｘｐ、Ｙａ＝Ｙｐとし、これを統合座標系の個別座標データＸ、Ｙに変換しても、Ｘ＝Ｘｐ、Ｙ＝Ｙｐとなって、値は同じになる。
【００１４】
又、個別タブレット５Ｂ上の任意の点Ｑをペン６で押圧したときの個別座標データをＸｂ＝Ｘｑ、Ｙｂ＝Ｙｑとし、これを統合座標系の個別座標データＸ、Ｙに変換すると、Ｘ＝Ｘｑ＋Ｌ、Ｙ＝Ｙｑとなり、Ｙ軸の座標データは値が同じになる。
【００１５】
次に、機能ブロックを示す図１及びその機能のフローチャートを示す図２を参照して、座標入力装置のＣＰＵ１による機能について説明する。尚、図２において、ＴＢ−５Ａ、ＴＢ−５Ｂ及びＴＢ−５は、それぞれタブレット５Ａ、５Ｂ、５を示し、Ｍ−５ＲＡ、Ｍ−５ＲＢはそれぞれ拡張機能領域をそれぞれ示す。先ず、図１について説明する。１０は、個別座標入力部としてのタブレット５Ａ、５Ｂのいずれに座標入力があったか、即ち、ペン６による押圧があったかを判別する判別手段で、この判別手段１０によって、図２におけるステップＳＴ−１及び２の判別を行う。１１Ａ、１１Ｂは、タブレット５Ａ、５Ｂの出力に基づいて、それぞれ個別座標データを取得する取得手段で、図２におけるステップＳＴ−４、１０に対応する。１２は、判別手段１０の判別出力に基づいて、個別座標データ取得手段１１Ａ、又は、１１Ｂよりの個別座標データを、統合タブレット５の統合座標データに変換する変換手段で、図２のステップＳＴ−５、ステップＳＴ−１１に対応する。１３Ａ、１３Ｂは、個別座標データ取得手段１３Ａ、１３Ｂよりの各個別座標データに基づいて、拡張機能領域５ＲＡ、５ＲＢが押されたことを検出する拡張機能領域検出手段で、図２のステップＳＴ−５及び末１２に対応する。
【００１６】
１５、１６は、それぞれ第１及び第２の座標入力（座標データ）−入力データ変換手段である。変換手段１２よりの統合座標データは、切換え手段１４に供給されて、拡張機能領域検出手段１３Ａ、１３Ｂの検出出力に応じて切換えられて、第１及び第２の座標入力−入力データ変換手段１５、１６に供給される。
【００１７】
ペン６でタブレット５Ａの文字領域５ＭＡのみを押しているときは、その統合座標データが第１の座標入力−入力データ変換手段１５に供給されて、出力端子１７に、アルファベットの大文字の入力データが得られて、ＣＰＵ１に入力される。ペン６でタブレット５Ａの文字領域５ＭＡを押しているときに、同時にタブレット５Ｂの拡張機能領域５ＲＢが押されているときは、その統合座標データが第２の座標入力−入力データ変換手段１６に供給されて、出力端子１８に、アルファベットの小文字の入力データが得られて、ＣＰＵ１に入力される。
【００１８】
ペン６でタブレット５Ｂの文字領域５ＭＢのみを押しているときは、その統合座標データが第１の座標入力−入力データ変換手段１５に供給されて、出力端子１７に、アルファベットの大文字の入力データが得られて、ＣＰＵ１に入力される。ペン６でタブレット５Ｂの文字領域５ＭＢを押しているときに、同時にタブレット５Ａの拡張機能領域５ＲＡが押されているときは、その統合座標データが第２の座標入力−入力データ変換手段１６に供給されて、出力端子１８に、アルファベットの小文字の入力データが得られて、ＣＰＵ１に入力される。
【００１９】
次に、図２を参照して説明する。ステップＳＴ−１で、個別タブレット５Ｂは押されたか否かを判断し、ＹＥＳであればステップＳＴ−９に移行し、ＮＯであれば、ステップＳＴ−２に移行する。
【００２０】
ステップＳＴ−２では、個別タブレット５Ａが押されたか否かを判断し、ＮＯであれば、ステップＳＴ−１に戻り、ＹＥＳであれば、ステップＳＴ−３に移行する。ステップＳＴ−３では、拡張機能領域５ＲＡが押されているか否かを判別し、ＹＥＳであれば、ＳＴ−１に戻り、ＮＯであれば、ＳＴ−４に移行して、個別タブレット５Ａ上のペン６で押された部分の座標データＸａ＝Ｘｐ、Ｙａ＝Ｙｐを取得した後、ステップＳＴ−５に移行する。
【００２１】
ステップＳＴ−５では、個別タブレット５Ａの個別座標データＸａ＝Ｘｐ、
Ｙａ＝Ｙｐを、統合タブレット５の統合座標データＸ＝Ｘｐ、Ｙ＝Ｙｐに変換する。ＳＴ−５の後は、ステップＳＴ−６に移行し、タブレット５Ｂの拡張機能領域５ＲＢは押されたままか否かを判別する。ステップＳＴ−６でＮＯのときは、ＳＴ−７に移行し、統合座標入力を第１の入力データに変換した後ステップＳＴ−１に戻る。ステップＳＴ−６でＹＥＳのときは、ステップＳＴ−８に移行して、統合座標入力を第２の入力データに変換した後ステップＳＴ−１に戻る。
【００２２】
ステップＳＴ−１でＹＥＳのときは、ステップＳＴ−９に移行するが、ステップＳＴ−９では、拡張機能領域５ＲＢが押されているか否かを判別し、ＹＥＳであれば、ＳＴ−１に戻り、ＮＯであれば、ＳＴ−１０に移行して、個別タブレット５Ｂ上のペン６で押された部分の座標データＸｂ＝Ｘｑ、Ｙｂ＝Ｙｑを取得した後、ステップＳＴ−１１に移行する。
【００２３】
ステップＳＴ−１１では、個別タブレット５Ａの個別座標データＸｂ＝Ｘｑ、Ｙｂ＝Ｙｑを、統合タブレット５の統合座標データＸ＝Ｘｑ＋Ｌ、Ｙ＝Ｙｑに変換する。ＳＴ−１１の後は、ステップＳＴ−１２に移行し、タブレット５Ａの拡張機能領域５ＲＡは押されたままか否かを判別する。ステップＳＴ−１２でＮＯのときは、ＳＴ−７に移行し、統合座標入力を第１の入力データに変換した後ステップＳＴ−１に戻る。ステップＳＴ−１２でＹＥＳのときは、ステップＳＴ−８に移行して、統合座標入力を第２の入力データに変換した後ステップＳＴ−１に戻る。
【００２４】
携帯型情報端末機に、この実施の形態の座標入力装置を設けた場合、上述の図４のＩＣカード７等によるアプリケーションプログラムの利用時に、そのアプリケーションプログラムが、広面積のタブレットに対するペン入力を前提としている場合であっても、複数の狭面積のタブレットに対するペン入力を、広面積のタブレットに対するペン入力に変換することが可能となるので、アプリケーションプログラムの一部の変更等を必要とせず、このため、そのアプリケーションプログラムの開発、販売等によって蓄積された資産をそのまま利用することができる。
【００２５】
尚、座標入力部は、タッチパネルでも良い。
【００２６】
【発明の効果】
本発明によれば、文字領域と拡張機能領域とを備える第１および第２の座標入力部と、第1および第２の座標入力部に対する座標入力による座標データをそれぞれ取得する座標データ取得手段と、座標データ取得手段によって取得された座標データを入力データに変換する変換手段とを備え、変換手段は、第1の座標入力部の文字領域に対し座標入力があったとき、第２の座標入力部の拡張機能領域に対する座標入力の有無に応じて、第1の座標入力部における座標データを異なる入力データに変換し、第２の座標入力部の文字領域に対し座標入力があったとき、第1の座標入力部の拡張機能領域に対する座標入力の有無に応じて、第２の座標入力部における座標データを異なる入力データに変換するので、複数の座標入力部を有する座標入力装置において、座標入力部の面積が狭くならず、小型、軽量、低価格にして、拡張機能を実現することのできる座標入力装置を得ることができる。又、拡張機能領域を必要に応じて無効にすることができる。その場合、座標入力部の下面に液晶表示装置等の表示手段が設けられている場合は、拡張機能領域の有効及び無効の別を表示することができる。
【図面の簡単な説明】
【図１】本発明の実施の形態のＣＰＵの機能を示すブロック線図である。
【図２】その実施の形態のＣＰＵの機能を示すフローチャートである。
【図３】実施の形態のタブレットを示す平面図である。
【図４】実施の形態のタブレットの動作状態の説明図である。
【図５】本発明を適用し得る携帯型情報端末機を示すブロック線図である。
【図６】従来のタブレットを示す平面図である。
【図７】従来の携帯型情報端末機を示すブロック線図である。
【符号の説明】
５、５ａ、５ｂ  タブレット、５ＲＡ、５ＲＢ  拡張機能領域、６  ペン、１０  判別手段、１１Ａ、１１Ｂ  個別座標データ所得手段、１２  変換手段、１３Ａ、１３Ｂ  個別座両データ取得手段、１４  切換え手段、１５  第１の座標入力−入力データ変換手段、１６  第２の座標入力−入力データ変換手段。
【図１】
0003834871.tif 000002
【図２】
0003834871.tif 000003
【図３】
0003834871.tif 000004
【図４】
0003834871.tif 000005
【図５】
0003834871.tif 000006
【図６】
0003834871.tif 000007
【図７】
0003834871.tif 000008